(57)【特許請求の範囲】
【請求項１】
電子機器本体部と、前記電子機器本体部に回動により開閉可能に取付けられ、前記電子機器本体部の上面を覆うカバー部と、前記カバー部によって覆われない前記電子機器本体部の側面に設けられた開口部とを有する電子機器であって、
前記カバー部が前記電子機器本体部の上面を覆う回動によりその電子機器本体部内に挿入されてそのカバー部が閉じられた状態を保持するロック爪と、
前記電子機器本体部内に回動自在に設けたアームに、回動自在に連結された前記電子機器本体部の開口部を開閉可能な蓋部と、
前記蓋部にそれぞれ連結された状態で電子機器本体部内に回動自在に取り付けられた一対のリンクと、
前記蓋部が前記開口部を開く方向に付勢するバネを備え、
前記カバー部が前記電子機器本体部の上面を覆わない状態では、前記蓋部は前記バネの付勢により前記開口部を開とし、前記カバー部が前記電子機器本体部の上面を覆う回動による前記ロック爪の電子機器本体部内への挿入により、当該ロック爪は前記アームを回動させ、そのアームの回動によって前記蓋部は前記一対のリンクにより前記バネの付勢に抗して平行に移動されることにより、当該蓋部は前記開口部を閉じ、以って、前記ロック爪により前記カバー部が前記電子機器本体部の上面を覆った状態と前記蓋部が前記開口部を閉じた状態を保持するようにしたことを特徴とする電子機器。
【発明の詳細な説明】
【０００１】
【発明の属する技術分野】
本発明はノート型パソコンなど、表示部等のカバー部が電子機器本体に開閉可能に取り付けられた電子機器に関するものである。
【０００２】
【従来の技術】
近年、ノート型パソコンなど、カバー部である表示部が本体に開閉可能に取り付けられた電子機器が増えてきている。一方で、そのような電子機器にプリンタ装置を内蔵させ、１台の装置でデータの入力から用紙への印字までを行えるようにしたものも出てきている。
【０００３】
図４に従来の電子機器であるノート型パソコンの外観斜視図を示す。図において、４１はパソコン本体、４２は表示装置４３が内蔵された表示部で、パソコン本体４１に軸４４を支点に回動自在に取付けられている。４５は表示部４２をパソコン本体４１に閉じたとき閉状態を保持するためのロック爪であり、４１ａはロック爪４５が挿入されるパソコン本体４１に開けられた挿入穴である。４６はパソコン本体４１の上面に設けられたキーボードである。４１ｂはパソコン本体４１の側面に設けられたコネクタやカードの装着部(図示せず)へ接続ケーブルやカードが挿入される挿入口である。また、４１ｃはパソコン本体４１に内蔵されるプリンタ装置(図示せず)への用紙の挿入用の給紙口、４１ｄはプリンタ装置からの用紙の排出の排紙口である。挿入口４１ｂと排紙口４１ｄにはそれぞれ開閉蓋４７、４８が軸４９、５０を支点に回動自在に取付けられている。
【０００４】
以上のように構成された従来の電子機器において、ノート型パソコンを使用しないときには、表示部４２を回動させ、パソコン本体４１の上面に重ねるようにする。このとき、ロック爪４５がパソコン本体４１の挿入穴４１ａに挿入され、表示部４２の閉状態が保持される。これにより、キーボード４６と表示装置４３は破損や埃などの異物の侵入から保護される。
【０００５】
また、パソコン本体４１の側面に設けられたコネクタやカードの装着部やプリンタ装置の排紙口４１ｄは表示部４２によって保護されないが、開閉蓋４７、４８を軸４９、５０を支点に回動して挿入口４１ｂと排紙口４１ｄを塞ぎ、破損や異物混入を防止する。この場合、開閉蓋４７、４８には駆動源がなく、手動で開閉蓋４７、４８の開閉を行う。
【０００６】
【発明が解決しようとする課題】
一般に電子機器の開口部の蓋の開閉においては、電子機器の不使用時には使用者が手動で閉状態にし、使用時には開状態にすることが要求されている。特にプリンタ装置を内蔵した電子機器においては、用紙を排出する排紙口が大きいため、前記操作を確実に行うことが要求される。しかしながら、上記従来の構成では表示部を閉めても、コネクタやカードの装着部やプリンタ装置の排紙口の開閉蓋を閉め忘れることが多く発生していた。
【０００７】
本発明は、コネクタやカードの装着部やプリンタ装置の排紙口の開閉蓋の閉め忘れを確実に防止でき、破損や埃などの異物混入から電子機器内部を保護することのできる電子機器を提供することを目的とする。
【０００８】
【課題を解決するための手段】
この課題を解決するために本発明は、電子機器本体に対して開閉するカバー部を開閉したとき、電子機器本体側面の開口部に開閉自在に設けられた蓋を、カバー部の開閉を利用して、自動的に開閉するように構成したものである。
【０００９】
これにより、一定の条件下で閉または開の状態にするべき電子機器の開口部の蓋を、使用者が直接その蓋を操作することなく、安定して閉または開の状態にすることができる。
【００１０】
【発明の実施の形態】
本発明は、電子機器本体と、前記電子機器本体に開閉可能に取付けられ、前記電子機器本体の上面を覆うカバー部と、前記カバー部によって覆われない前記電子機器本体の側面に設けられた開口部と、前記開口部を開状態にするようにバネ付勢された状態で前記電子機器本体に設けられた蓋部とを備え、前記蓋部は前記カバー部が閉められる動作と連動して前記開口部を閉状態にするように構成した電子機器であり、カバー部が閉じられるとカバー部によって覆われない開口部が蓋により自動的に閉じられるという作用を有する。
【００１１】
本発明は、上記のように、蓋部はカバー部が開かれた状態では開口部を開状態に付勢され、前記カバー部が閉められた状態では前記開口部を閉状態にするように構成したものであり、カバー部を閉めた電子機器の不使用状態では開口部からの埃などの侵入を防止することができるという作用を有する。
【００１２】
また、本発明は、カバー部には凸部が設けられ、前記カバー部が電子機器本体に対して閉じた時に、前記凸部が蓋部自身または前記電子機器本体に設けられた蓋開閉機構を駆動させるようにしたものであり、簡単な構造でカバー部の開閉動作に連動して蓋部自身または蓋開閉機構を駆動させることができるという作用を有する。
【００１３】
また、本発明は、電子機器本体には孔部が設けられ、前記カバー部が電子機器本体に対して閉じられた時に、前記孔部に前記カバー部の凸部が挿入され、蓋部自身または前記電子機器本体に設けられた蓋開閉機構を駆動させるようにしたものであり、目立たない構造で蓋部自身または蓋開閉機構を駆動させることができるという作用を有する。
【００１４】
さらに、本発明は、蓋開閉機構は、バネにより付勢されたアームと、前記アームに回動可能に取付けられたリンクと、前記リンクに回動可能に取付けられた蓋とから構成され、前記アームをカバー部の凸部で押すことにより、前記蓋が開口部を閉じるようにしたもので、アームとリンクの利用により、広い面積の蓋であっても開閉動作を安定して行えるという作用を有する。
【００１５】
また、本発明は、カバー部に設けられた凸部は、前記カバー部が電子機器本体に対して閉じた時に、前記カバー部を電子機器本体にロックするロック爪であり、カバー部の回動により電子機器本体内に挿入されるロック爪が蓋部をバネの付勢に抗して移動させ、開口部を閉じるようにしたため、蓋部の開閉操作を行う操作部が不要となるだけでなく、外観的にも不自然にならないという作用を有する。
【００１６】
また、本発明は、開口部の蓋もしくは蓋開閉機構に駆動源を設け、カバー部の凸部が、電子機器本体に配置されたセンサーまたはスイッチをＯＮ／ＯＦＦさせることにより前記駆動源を動作させ、前記蓋を開閉させることもでき、カバー部を閉じた時の負荷を少なくできるという作用を有する。
【００１７】
さらに、本発明は、カバー部は表示装置を内蔵した表示部であり、表示部を有する電子機器においても同様の作用を有する。
【００１８】
また、本発明は、電子機器本体にはプリンタ装置が内蔵され、開口部は前記プリンタ装置への用紙の給紙口または前記プリンタ装置からの用紙の排紙口であるもので、プリンタ装置を内蔵した電子機器においては、カバー部が閉められる動作と連動して給紙口または排紙口の蓋の開閉が自動的に行えるという作用を有する。
【００１９】
以下、本発明の実施の形態について、図１から図３を用いて説明する。
【００２０】
（実施の形態１）
図１は本発明の第１の実施の形態の電子機器であるノート型パソコンの外観斜視図、図２はノート型パソコンを正面から見た排紙口開閉蓋の内部構造図で、図２（ａ）は開閉蓋が開かれた状態、図２（ｂ）は開閉蓋が閉じられた状態を示している。図において、１はパソコン本体、２は表示装置３が内蔵された表示部で、パソコン本体１に軸４を支点に回動自在に取付けられている。５は表示部２をパソコン本体１に閉じたとき閉状態を保持するためのロック爪であり、１ａはロック爪５が挿入されるパソコン本体１に開けられた挿入穴である。６はパソコン本体１の上面に設けられたキーボードである。１ｂはパソコン本体１に内蔵されるプリンタ装置(図示せず)への用紙の挿入用の給紙口、１ｃはプリンタ装置からの用紙の排出の排紙口である。７はパソコン本体１の内部に配置された構造部材である。８、９、１０は軸であり、構造部材７に固定されている。１１はアームで、軸８に回動自在に取付けられている。１２、１３はリンクで、軸９と軸１０に回動自在に取付けられている。１４は蓋であり、アーム１１と蓋１４を貫通するピン１５と、リンク１２と蓋１４を貫通するピン１６と、リンク１３と蓋１４を貫通するピン１７で、アーム１１、リンク１２、リンク１３と連結されている。また、１８は引張バネであり、一方が構造部材７に、他方がアーム１１に掛けられている。
【００２１】
以上のように構成された本実施の形態の電子機器において、ノート型パソコンを使用中で、表示部２がパソコン本体１に対し開かれた状態のときは、図２(ａ)に示すように、引張バネ１８により蓋１４は排紙口１ｃに対し開状態が保持されている。ノート型パソコンを使用しないときには、表示部２を回動させ、パソコン本体１の上面に重ねるようにする。そして、ロック爪５がパソコン本体１の挿入穴１ａに挿入され、表示部２の閉状態が保持される。これにより、キーボード６と表示装置３は破損や埃などの異物の侵入から保護される。
【００２２】
このとき、ロック爪５が挿入穴１ａからパソコン本体１内に挿入され、アーム１１の受圧面１１ａを押す。そして、アーム１１は軸８を回転中心にしてＡ方向へ回転する。アーム１１の回動に従って、ピン１５で連結された蓋１４はリンク１２とリンク１３の制限によって平行にＢ方向へ移動し、図２(ｂ)に示すように、排紙口１ｃを閉状態にする。
【００２３】
このように、表示部２をパソコン本体１に対し閉じる動作に連動して、蓋１４が排紙口１ｃを閉じるため、蓋を閉じることを意識しなくても破損や埃などの異物混入から電子機器内部を保護することができる。
【００２４】
また、アームとリンクにより本実施の形態の給紙口の蓋のように面積が広く長い蓋であっても安定した開閉動作を行うことができる。
【００２５】
（実施の形態２）
図３は本発明の第２の実施の形態の電子機器であるノート型パソコンを示すもので、図３（ａ）は側面図、図３（ｂ）は蓋部の斜視図である。図において、３１はパソコン本体、３２は表示部で軸３３を支点に回動自在にパソコン本体３１に取付けられている。３２ａは表示部３２に設けられた凸部である。３１ａはパソコン本体３１の側面に設けられたコネクタやカードの装着部(図示せず)へ接続ケーブルやカードが挿入される挿入口である。３４は挿入口３１ａを塞ぐための蓋であり、３１ｂは挿入口３１ａに沿って設けられた溝で蓋３４が挿入されており、蓋３４は溝方向に移動することができる。３５は蓋３４を一方向へ付勢するための圧縮バネで、蓋３４を溝３１ｂの上方へ常に付勢している。
【００２６】
以上のように構成された本実施の形態の電子機器において、ノート型パソコンを使用中で、表示部３２がパソコン本体３１に対し開かれた状態のときは、図３(ａ)に示すように、圧縮バネ３５により蓋３４は挿入口３１ａに対し開状態が保持されている。ノート型パソコンを使用しないときには、表示部３２を回動させ、パソコン本体３１の上面に重ねるようにする。この時、表示部３２に設けられた凸部３２ａがパソコン本体３１内に挿入され、蓋３４を押して溝３１ｂに沿ってＣ方向へ移動させ、挿入口３１ａに対して蓋３４を閉状態にする。
【００２７】
このように、表示部３２をパソコン本体３１に対し閉じる動作に連動して、蓋３４が挿入口３１ａを閉じるため、蓋を閉じることを意識しなくても破損や埃などの異物混入から電子機器内部を保護することができる。
【００２８】
なお、以上の各実施の形態の説明では、カバー部が表示部である電子機器を例にあげたが、表示装置を有せず、単にカバー機能だけを備えた電子機器であっても同様の効果を有することはいうまでもない。
【００２９】
また、各実施の形態の説明では、電子機器に設けられる開口としてプリンタ装置からの用紙の排出の排紙口や接続ケーブルやカードが挿入される挿入口を例にあげたが、その他の開口であっても同様である。
【００３０】
また、表示部に設けられた凸部で蓋もしくはリンク機構を駆動するよう構成した例で説明したが、表示部に設けられた凸部で光センサーや機構スイッチをＯＮ、ＯＦＦして表示部の開閉状態を検知し、その電気信号でソレノイド、モータを含むギヤ駆動系、ベルト駆動系等を駆動して蓋を開閉するようにしてもよい。
【００３１】
【発明の効果】
以上のように本発明は、電子機器本体部に回動可能に取付けられたカバー部がその電子機器本体部の上面を覆った状態を保持するロック爪に、その電子機器本体部に設けられた開口部を開閉する蓋部をバネの付勢に抗してその開口部を閉じ、かつ、その閉じた状態を保持する機能をも持たせたものであり、これによれば、カバー部に設けたロック爪によって、カバー部を電子機器本体部の上面を覆った状態を保持することができることはもちろんのこと、そのロック爪でもって蓋部を移動させて前記開口部を自動的に閉じ、かつ、その開口部を閉じた状態が保持されるため、蓋部の開閉操作を行う操作部が不要となるだけでなく、外観的にも不自然とはならないものである。そして、蓋部は広い面積のものであってもアームとリンクにより安定した開閉動作が行われ、したがって、コネクタやカードの装着部やプリンタ装置の排紙用の開口部の開閉蓋の閉め忘れを確実に防止でき、破損や埃などの異物混入から電子機器内部を保護することができるという有利な効果が得られる。
【図面の簡単な説明】
【図１】  本発明の第１の実施の形態のノート型パソコンの外観斜視図
【図２】  本発明の第１の実施の形態のノート型パソコンを正面から見た排紙口開閉蓋の内部構造図
【図３】  本発明の第２の実施の形態のノート型パソコンを示す側面図および蓋部の斜視図
【図４】  従来のノート型パソコンの外観斜視図
【符号の説明】
１、３１  パソコン本体
１ａ  挿入穴
１ｂ  給紙口
１ｃ  排紙口
２  表示部
５  ロック爪
７  構造部材
８、９、１０  軸
１１  アーム
１２、１３  リンク
１４、３４  蓋
１５、１６、１７  ピン
１８  引張バネ
３２ａ  凸部
３５  圧縮バネ
【図１】
0004415478.tif 000002
【図２】
0004415478.tif 000003
【図３】
0004415478.tif 000004
【図４】
0004415478.tif 000005